(57)【要約】【課題】簡単な操作で楽に油圧ダンパの長さを調整でき、設置作業の効率化と作業負担の軽減を図ること。【解決手段】油圧ダンパの長さ調整工具を二つの工具本体１と油圧ポンプ２とこれらをホース４，５を通じて接続する分岐ポート３とで構成する。工具本体１は、駆動シリンダ部６とこれに出入り自在に挿入された係合アーム部７とを備える。駆動シリンダ部６はその両端部に分岐ポート３を介して油圧ポンプ２を接続し、固定ボルト９をプリセットボルト用ねじ穴Ｄ４に螺合させて固定する。係合アーム部７には油圧ダンパＤのフランジＤ３に係合する係合爪１１ａ，１１ａを備えたフック１１を設ける。油圧ポンプ２の操作レバー２ｂを回転操作すると、工具本体１を油圧で駆動し、係合アーム部７が駆動シリンダ部６を出入りしてピストンロッドＤ２の突出長さを調整できる。係合アーム部７の移動方向は切替レバー２ｃで切り替える。【選択図】  図１
2004150455.tif 000002
【特許請求の範囲】
【請求項１】
シリンダに対してピストンロッドが出入りするように伸縮可能に構成され、前記シリンダに螺合してピストンロッドの軸線方向に伸びるプリセットボルトをピストンロッドの端部にナットで固定することにより収縮状態でロッドがシリンダに固定される油圧ダンパの長さ調整工具において、
一端側が前記油圧ダンパのシリンダのプリセットボルト用ねじ穴に螺合する固定ボルトによってシリンダに固定され、他端部が油圧ダンパのピストンロッドに係合し、一端側に対して油圧によりピストンロッドと一体に往復動可能な工具本体と、
この工具本体の一端側に接続され、工具本体の他端側を油圧駆動する油圧ポンプとを具備することを特徴とする油圧ダンパの長さ調整工具。
【請求項２】
前記工具本体は、前記油圧ポンプに接続されて前記固定ボルトで油圧ダンパのシリンダに固定される駆動シリンダ部と、
この駆動シリンダ部に一端側が摺動可能に挿入され、他端側に油圧ダンパのピストンロッドから張り出すフランジを軸線方向に挟む前後一対の係合爪を有する係合アーム部とを具備することを特徴とする請求項１に記載の油圧ダンパの長さ調整工具。
【請求項３】
前記工具本体は前記油圧ダンパのシリンダを直交方向に挟んで対向する位置に取り付けられるように二つ備え、単一の前記油圧ポンプとの間に分岐ポートが介設されて二つの工具本体が同期して作動することを特徴とする請求項１に記載の油圧ダンパの長さ調整工具。
【発明の詳細な説明】
【０００１】
【発明の属する技術分野】
本発明は、油圧ダンパのロッドの突出長さを変更して油圧ダンパのストロークを調整する工具に関するものである。
【０００２】
【従来の技術】
油圧ダンパは制振対象の変位に応じて伸縮可能に構成されるので、保管、運搬の際には収縮状態にしてピストンロッドをシリンダに固定しておく。また、構築物のブレース材に設置する場合には、油圧ダンパをクレーン等で吊り下げて設置位置に移動するが、他の構築材との干渉を避けるために、油圧ダンパを収縮状態で行う。ピストンロッドをシリンダに固定するには、図７に示すようにシリンダＤ１にプリセットボルトＢを螺合し、ピストンロッドＤ２に沿って延出させ、ロッドエンドから直交方向に張り出したフランジＤ３にナットＮで固定している。
従来、この油圧ダンパを設置する際に、据え付けた状態で適正なストロークを確保するように長さ設定するには、シリンダＤ１側を制振対象又は支持物に取り付けてから、フランジＤ３を挟む前後のナットＮを回転させてプリセットボルトＰ上を移動させ、フランジＤ３の位置を適宜変更してピストンロッドＤ２の突出長を調整し、ピストンロッドＤ２を支持物又は制振対象に取り付けている。
【０００３】
【発明が解決しようとする課題】
上記従来の油圧ダンパのストロークを調整する方法においては、プリセットボルト上でナットを移動させるのに、例えばプリセットボルトのねじピッチを約１〜２ｍｍ、スパナによる一回の回転操作でナットを回す角度が約１２０°とすれば、スパナの一回の操作でナットを軸方向に０．３〜０．７ｍｍの距離しか移動できない。仮に、ロッドを８０ｍｍ伸ばそうとすると、スパナによるナットの回転操作が約１１０〜２７０回になり、操作が煩わしく作業効率が悪い。また、２０００ｋＮ用の大型の油圧ダンパの長さを調整するには、ナットの回転操作に２０〜５０ｋＮの力が必要になり、作業労力が過大になる。さらに、プリセットボルトを油圧ダンパの左右両側に設けて、荷重のバランスを保つこととしているので、ナットの回転操作を二人の作業者が同時に行うか、作業者が単独で左右交互に行うかしなければならず、作業性が悪い。
従って、本発明は、簡単な操作で楽に油圧ダンパの伸縮長さの設定作業を行うことができ、作業効率を向上させる油圧ダンパの長さ調整工具を提供することを課題としている。
【０００４】
【課題を解決するための手段】
上記課題を解決するため、第１の発明においては、シリンダＤ１に対してピストンロッドＤ２が出入りするように伸縮可能に構成され、シリンダＤ１に螺合してピストンロッドＤ２の軸線方向に伸びるプリセットボルトＰをピストンロッドＤ２端部にナットＮで固定することにより収縮状態でピストンロッドＤ２がシリンダＤ１に固定される油圧ダンパＤの長さ調整工具において、工具本体１の一端側を油圧ダンパＤのシリンダＤ１のプリセットボルト用ねじ穴Ｄ４に螺合する固定ボルト９でシリンダＤ１に固定するようにし、他端部を油圧ダンパＤのピストンロッドＤ２に係合させて、一端側に対して油圧によりピストンロッドＤ２と一体に往復動可能に構成し、この工具本体１の一端側に油圧ポンプ２を接続して、工具本体１の他端側を油圧駆動するように構成した。
第２の発明においては、工具本体１を駆動シリンダ部６と係合アーム部７とで構成し、駆動シリンダ部６を固定ボルト９で油圧ダンパＤのシリンダＤ１に固定すると共に、油圧ポンプ２に接続し、係合アーム部７の一端側を駆動シリンダ部６に出入り可能に挿入し、係合アーム部７の他端側に油圧ダンパＤのピストンロッドＤ２から張り出すフランジＤ３を軸線方向に挟む前後一対の係合爪１１ａ，１１ａを設けた。
第３の発明においては、油圧ダンパＤのシリンダＤ１を直交方向に挟んで対向するように二つの工具本体１，１を取り付けるようにし、単一の油圧ポンプ２を二つの工具本体１，１に分岐ポートを介して夫々接続して同期的に作動させるようにした。
【０００５】
【発明の実施の形態】
図面を参照して本発明の実施の一形態を説明する。
図１において、油圧ダンパの長さ調整工具は、二つの工具本体１と、油圧ポンプ２と、これらをホース４，５を通じて接続する分岐ポート３とを備えている。
【０００６】
図２、図３に示すように、工具本体１は、駆動シリンダ部６と、これに出入り自在に挿入された係合アーム部７とを備えている。駆動シリンダ部６の両端部には、ホース４が夫々接続される。駆動シリンダ部６における係合アーム部７の出入り端には、駆動シリンダ部６から直交方向に張り出すように反力受け８が着脱可能に固定されている。この反力受け８には、油圧ダンパＤのシリンダＤ１先端面のプリセットボルト用ねじ穴Ｄ４に螺合する固定ボルト９が紐でつながれており、ねじ穴Ｄ４の対応する挿通孔１０が設けられている。係合アーム部７は、一端側が駆動シリンダ部６に挿入され、その先端部に有する図示しないピストンが摺動自在に嵌合して、駆動シリンダ部６内を二つの油圧室に仕切る。従って、二本のホース４を通じて増減する両油圧室の油圧でピストンが移動することにより係合アーム部７が駆動シリンダ部６を出入りする。係合アーム部７の他端にはピストンロッドＤ２に着脱可能で軸線周りに回転自在のフック１１を備えている。フック１１には、油圧ダンパＤのロッドエンドのフランジＤ３を軸方向に挟む直交方向に突出した前後一対の係合爪１１ａ，１１ａを備えている。なお、工具本体１の反力受け８及びフック１１は、油圧ダンパＤの形状寸法に応じて準備され、取り替え可能である。また、フック１１は収縮状態の油圧ダンパＤに駆動シリンダ部６を装着したときに係合爪１１ａ，１１ａがフランジＤ３に係合するように寸法設定されている。
【０００７】
図４、図５に示すように、油圧ポンプ２は、ポンプ本体２ａに枢着された操作レバー２ｂを基部を中心に回動させると、工具本体１を油圧で駆動し、係合アーム部７を出入りさせる。油圧ポンプ２には、駆動シリンダ部６への送油方向を切り替えて係合アーム部７の移動方向を変更する切替レバー２ｃが設けられている。油圧ポンプ２には、油圧を解除するハンドル２ｄを有する。油圧ポンプ２には、油圧メータ２ｅが付属しており、過大な油圧をかけないように確認できる。
【０００８】
分岐ポート３は、単一の油圧ポンプ２で二つの工具本体１を同期させて油圧制御するためにホース４を二系統のホース５に分岐させるものである。
【０００９】
この油圧ダンパの長さ調整工具は、予め油圧ダンパＤのシリンダＤ１側の端部取付イヤを例えば構造物のブレース材の対応取付部材に連結しておき、ピストンロッドＤ２をシリンダ１に固定しているプリセットボルトＰを取り外して、油圧ダンパＤを直径方向に挟んで対向するように二つの工具本体１を夫々装着する。この工具本体１には、予めホース５、分岐ポート３、ホース４及び油圧ポンプ２を接続しておく。工具本体１は、先ず油圧ダンパＤのシリンダＤ１の端面に反力受け８をあてがい、挿通孔１０をプリセットボルト用ねじ穴Ｄ４に合わせて固定ボルト９を貫通、螺合させることにより駆動シリンダ部６を固定する。
【００１０】
次に、油圧ダンパＤのフランジＤ３の前後を係合爪１１ａ，１１ａで挟むようにフック１１を配置して、係合アーム部７をピストンロッドＤ２に係合させる。この際、フック１１を駆動シリンダ部６に対して旋回させればフランジＤ３を側方から係合爪１１ａ，１１ａ間に受け入れる。このようにして、二つの工具本体１を油圧ダンパＤの径方向に対向させた位置で夫々固定する。
【００１１】
図６に示すように、油圧ダンパＤに夫々装着した二つの工具本体１は、油圧ポンプ２の操作レバー２ｂを回動操作することにより、駆動シリンダ部６に対して係合アーム部７が出入りするので、ピストンロッドＤ２の突出長さを調整できる。係合アーム部７の移動方向は、油圧ポンプ２の切替レバー２ｃで切り替える。そして、油圧ダンパＤの取付イヤを構造物の取付部材のピン孔に位置合わせしてピン結合させれば、ピストンロッドＤ２が適切なストロークで動作するように油圧ダンパＤが取り付けられる。従って、従来のようなプリセットボルト上のナットの煩わしい回動操作に代えて、油圧ポンプ２の操作レバー２ｂの回転操作のみで簡単に調整作業を遂行できる。たとえ大容量の油圧ダンパであっても油圧で工具本体１が動作するので、操作に大きな労力を必要としない。しかも単一の油圧ポンプ２で二つの工具本体１を同期させて操作でき、一人の作業者のみで油圧ダンパＤの長さ調整を行える。
【００１２】
【発明の効果】
以上のように、本発明においては、油圧ポンプの簡単な操作によって工具本体を作動させ、油圧ダンパの長さ調整を作業者一人で楽に行うことができるので、作業効率が向上し、作業負担が軽減できるという効果を有する。
【図面の簡単な説明】
【図１】油圧ダンパの長さ調整工具の構成図である。
【図２】工具本体の斜視図である。
【図３】（Ａ）は工具本体の装着過程の正面図、（Ｂ）は平面図である。
【図４】油圧ポンプの正面図である。
【図５】油圧ポンプの平面図である。
【図６】油圧ダンパの正面図である。
【図７】（Ａ）は油圧ダンパの正面図、（Ｂ）は平面図である。
【符号の説明】
１    工具本体
２    油圧ポンプ
３    分岐ポート
４    ホース
５    ホース
６    駆動シリンダ部
７    係合アーム部
８    反力受け
９    固定ボルト
１０    挿通孔
１１    フック
１１ａ  係合爪
Ｄ    油圧ダンパ
Ｄ１  シリンダ
Ｄ２  ピストンロッド
Ｄ３  フランジ
Ｄ４  プリセットボルト用ねじ穴
【図１】
2004150455.tif 000003
【図２】
2004150455.tif 000004
【図３】
2004150455.tif 000005
【図４】
2004150455.tif 000006
【図５】
2004150455.tif 000007
【図６】
2004150455.tif 000008
【図７】
2004150455.tif 000009